(57)【要約】【課題】チャネル品質の推定精度を向上させることができる基地局装置、移動端末装置及び通信制御方法を提供すること。【解決手段】下りリンクチャネル推定のための参照信号であるＣＳＩ-ＲＳ（Channel  State  Information−Reference  Signal）を、ＣＳＩ-ＲＳ送信用に規定されたＣＳＩ-ＲＳ用リソースに配置するステップと、ＣＳＩ-ＲＳ用リソースにミューティングリソースを設定するステップと、ミューティングリソースが設定されるサブフレームの送信間隔を示すミューティング間隔情報を、移動端末装置に通知するステップとを有することを特徴とする通信制御方法である。【選択図】図７
2012138956.tif 000002
【特許請求の範囲】
【請求項１】
下りリンクチャネル推定のための参照信号であって、隣接エリアと異なる送信サブフレーム周期となっている自エリアのＣＳＩ−ＲＳ（Channel  State  Information−Reference  Signal）を、ＣＳＩ−ＲＳ送信用に規定されたＣＳＩ−ＲＳ用リソースに配置するＣＳＩ−ＲＳ配置部と、
隣接エリアのＣＳＩ−ＲＳ用リソースに対応する自エリアのリソースにミューティングリソースを設定するミューティングリソース設定部と、
前記ミューティングリソースの位置、ＣＳＩ−ＲＳを特定する少なくとも送信サブフレーム周期、サブフレームオフセット、及び送信電力を含むパラメータを移動端末装置に通知する通知部と、を備えことを特徴とする基地局装置。
【請求項２】
前記ミューティングリソース設定部は、複数エリア間で共通の間隔でミューティングリソースを設定し、
前記通知部は、前記間隔を示す間隔情報を前記移動端末装置に通知することを特徴とする請求項１に記載の基地局装置。
【請求項３】
前記ミューティングリソース設定部は、複数の前記ＣＳＩ−ＲＳ用リソースをブロック化し、ブロック単位で前記ＣＳＩ−ＲＳ用リソースに対応する自エリアのリソースに前記ミューティングリソースを設定し、
前記通知部は、前記ミューティングリソースが設定されたブロックを示すブロック情報を、前記移動端末装置に通知することを特徴とする請求項２に記載の基地局装置。
【請求項４】
前記ＣＳＩ−ＲＳ配置部は、ＣＳＩ−ＲＳポート数に応じて規定された前記ＣＳＩ−ＲＳの配置パターンにより、前記ＣＳＩ−ＲＳ送信用に規定された前記ＣＳＩ−ＲＳ用リソースに前記ＣＳＩ−ＲＳを配置し、
前記ミューティングリソース設定部は、前記配置パターンによりブロック化されたＣＳＩ−ＲＳ用リソースに対応する自エリアのリソースにミューティングリソースを設定し、
前記通知部は、前記ブロックに前記ミューティングリソースの位置を対応させてビットマップ形式としたビットマップ情報を、前記移動端末装置に通知することを特徴とする請求項３に記載の基地局装置。
【請求項５】
前記ミューティングリソース設定部は、前記ＣＳＩ−ＲＳ用リソースに対応する自エリアのリソースにミューティングリソース数が相対的に少ない第１のパターンおよび相対的に多い第２のパターンのいずれかに基づいてミューティングリソースを設定し、
前記通知部は、前記第１のパターンおよび前記第２のパターンのいずれかを示すパターン情報を、前記移動端末装置に通知することを特徴とする請求項３に記載の基地局装置。
【請求項６】
前記ミューティングリソース設定部は、エリア毎に固有の間隔でミューティングリソースを設定し、
前記通知部は、前記間隔を示す間隔情報を前記移動端末装置に通知することを特徴とする請求項１に記載の基地局装置。
【請求項７】
前記ミューティングリソース設定部は、隣接エリアのＣＳＩ−ＲＳポート数に応じて規定された前記ＣＳＩ−ＲＳの配置パターンにおいて、前記配置パターンのインデックスで示される前記ＣＳＩ−ＲＳ用リソースに対応する自エリアのリソースに前記ミューティングリソースを設定し、
前記通知部は、前記ミューティングリソースの位置を示すインデックスを、前記移動端末装置に通知することを特徴とする請求項１に記載の基地局装置。
【請求項８】
下りリンクチャネル推定のためのＣＳＩ−ＲＳを特定する少なくとも送信サブフレーム周期、サブフレームオフセット、及び送信電力、並びに隣接エリアと異なる送信サブフレーム周期となっている自エリアのＣＳＩ−ＲＳが配置されるリソースに対応するミューティングリソースの位置を含むパラメータを、基地局装置から受信する受信部と、
前記ＣＳＩ−ＲＳが配置されたサブフレームで、下りリンクチャネル推定を行う測定部と、を備えることを特徴とする移動端末装置。
【請求項９】
前記受信部は、複数エリア間で共通の間隔で設定されたミューティングリソースの間隔を示す情報を、前記基地局装置から受信し、
前記測定部は、前記間隔で下りリンクチャネル推定を行うことを特徴とする請求項８に記載の移動端末装置。
【請求項１０】
前記受信部は、ＣＳＩ−ＲＳ送信用に規定された複数のＣＳＩ−ＲＳ用リソースをブロック化したブロックであり、前記ミューティングリソースが設定されたブロックを示すブロック情報を、前記基地局装置から受信することを特徴とする請求項９に記載の移動端末装置。
【請求項１１】
前記受信部は、ＣＳＩ−ＲＳポート数に応じて規定された前記ＣＳＩ−ＲＳの配置パターンにより、ＣＳＩ−ＲＳ送信用に規定された複数のＣＳＩ−ＲＳ用リソースをブロック化したブロックに、ブロック単位で設定される前記ミューティングリソースの位置を対応させてビットマップ形式としたビットマップ情報を、前記基地局装置から受信することを特徴とする請求項９に記載の移動端末装置。
【請求項１２】
前記受信部は、ＣＳＩ−ＲＳ送信用に規定されたＣＳＩ−ＲＳ用リソースに設定されたブロックパターンを示す情報であり、ミューティングリソース数が相対的に少ない第１のブロックパターンおよび相対的に多い第２のブロックパターンのいずれかを示すパターン情報を、前記基地局装置から受信することを特徴とする請求項９に記載の移動端末装置。
【請求項１３】
前記受信部は、エリア毎に固有の間隔で設定されたミューティングリソースの間隔を示す情報を、前記基地局装置から受信し、
前記測定部は、前記間隔で下りリンクチャネル推定を行うことを特徴とする請求項８に記載の移動端末装置。
【請求項１４】
前記受信部は、隣接エリアのＣＳＩ−ＲＳポート数と、隣接エリアの前記ＣＳＩ−ＲＳポート数に応じてＣＳＩ−ＲＳ送信用に規定された前記ＣＳＩ−ＲＳの配置パターンのインデックスであり、前記ミューティングリソースの位置を示すインデックスとを、前記基地局装置から受信することを特徴とする請求項８に記載の移動端末装置。
【請求項１５】
下りリンクチャネル推定のための参照信号であって、隣接エリアと異なる送信サブフレーム周期となっている自エリアのＣＳＩ−ＲＳ（Channel  State  Information−Reference  Signal）を、ＣＳＩ−ＲＳ送信用に規定されたＣＳＩ−ＲＳ用リソースに配置するステップと、
隣接エリアのＣＳＩ−ＲＳ用リソースに対応する自エリアのリソースにミューティングリソースを設定するステップと、
前記ミューティングリソースの位置、ＣＳＩ−ＲＳを特定する少なくとも送信サブフレーム周期、サブフレームオフセット、及び送信電力を含むパラメータを移動端末装置に通知するステップとを有することを特徴とする通信制御方法。
【発明の詳細な説明】
【技術分野】
【０００１】
本発明は、次世代移動通信システムにおける基地局装置、移動端末装置及び通信制御方法に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（LTE：Long  Term  Evolution）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（LTE-A））。したがって、将来的には、これら複数の移動通信システムが並存することが予想され、これらの複数のシステムに対応できる構成（基地局装置や移動端末装置など）が必要となることが考えられる。
【０００４】
ＬＴＥのシステム（ＬＴＥシステム）の下りリンクにおいて、セル共通の参照信号であるＣＲＳ（Common  Reference  Signal）が定められている。このＣＲＳは、送信データの復調に用いられる他、スケジューリングや適応制御のための下りリンクのチャネル品質（CQI：Channel  Quality  Indicator）測定、並びに、セルサーチやハンドオーバのための下りの平均的な伝搬路状態の測定（モビリティ測定）に用いられる。
【０００５】
一方、ＬＴＥの後継システム（ＬＴＥ−Ａシステム）の下りリンクにおいては、ＣＲＳに加えて、ＣＱＩ測定専用にＣＳＩ-ＲＳ（Channel  State  Information  −  Reference  Signal）が検討されている。ＣＳＩ-ＲＳは、多地点協調（CoMP：Coordinated  multiple  point）によるデータチャネル信号の送受信を考慮して、複数セルのＣＱＩ測定に対応するものである。ＣＳＩ-ＲＳは、隣接セルのＣＱＩ測定に用いられる点で、サービングセルのみのＣＱＩ測定に用いられるＣＲＳと相違する。
【先行技術文献】
【非特許文献】
【０００６】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００７】
ところで、ＣＳＩ-ＲＳを用いたＣＱＩ測定においては、隣接セルからの干渉によるチャネル品質の推定精度の改善を目的としてミューティングが検討されており、より高い推定精度の実現が求められている。
【０００８】
本発明はかかる点に鑑みてなされたものであり、チャネル品質の推定精度を向上させることができる基地局装置、移動端末装置及び通信制御方法を提供することを目的とする。
【課題を解決するための手段】
【０００９】
本発明の基地局装置は、下りリンクチャネル推定のための参照信号であって、隣接エリアと異なる送信サブフレーム周期となっている自エリアのＣＳＩ−ＲＳ（Channel  State  Information−Reference  Signal）を、ＣＳＩ−ＲＳ送信用に規定されたＣＳＩ−ＲＳ用リソースに配置するＣＳＩ−ＲＳ配置部と、  隣接エリアのＣＳＩ−ＲＳ用リソースに対応する自エリアのリソースにミューティングリソースを設定するミューティングリソース設定部と、前記ミューティングリソースの位置、ＣＳＩ−ＲＳを特定する少なくとも送信サブフレーム周期、サブフレームオフセット、及び送信電力を含むパラメータを移動端末装置に通知する通知部と、を備えことを特徴とする。
【発明の効果】
【００１０】
本発明によれば、移動端末装置が、基地局装置からのミューティング間隔情報の通知により、隣接するセル間での干渉が抑制されたサブフレームでチャネル推定できる。よって、複数のエリアにおけるＣＳＩ-ＲＳ送信用のサブフレームの送信周期が異なっていても、移動端末装置におけるチャネル品質の推定精度を一定に保ったチャネル推定を行うことができる。このように、チャネル品質の推定精度を向上させることができる基地局装置、移動端末装置及び通信制御方法を提供できる。
【図面の簡単な説明】
【００１１】
【図１】ＣＲＳの配置構成の説明図である。
【図２】ＣＳＩ-ＲＳのサブフレーム構成の説明図である。
【図３】ＣＳＩ-ＲＳの配置構成の説明図である。
【図４】ＣＳＩ-ＲＳを用いたＣＱＩ測定におけるミューティングの説明図である。
【図５】隣接セル間でのＣＳＩ-ＲＳの送信周期の説明図である。
【図６】隣接セルのＣＱＩの測定方法の説明図である。
【図７】第１の通信制御における移動端末装置のチャネル推定タイミングの一例を示す図である。
【図８】第１の通信制御で用いられるミューティング通知方法の一例を示す図である。
【図９】第１の通信制御で用いられるミューティングの通知方法の他の一例を示す図である。
【図１０】第２の通信制御における移動端末装置のチャネル推定タイミングの一例を示す図である。
【図１１】第２の通信制御で用いられるミューティング通知方法の一例を示す図である。
【図１２】無線通信システムのシステム構成の説明図である。
【図１３】基地局装置の全体構成の説明図である。
【図１４】移動端末装置の全体構成の説明図である。
【図１５】第１の通信制御における基地局装置の機能ブロックの説明図である。
【図１６】第１の通信制御における移動端末装置の機能ブロックの説明図である。
【図１７】第２の通信制御における基地局装置の機能ブロックの説明図である。
【図１８】第２の通信制御における移動端末装置の機能ブロックの説明図である。
【発明を実施するための形態】
【００１２】
まず、本発明に係るミューティングリソースのシグナリング方法について説明する前に、ＬＴＥシステムの下りリンクで定められるＣＲＳ（Common  Reference  Signal）およびＬＴＥ−Ａシステムの下りリンクに適用されることが合意されたＣＳＩ-ＲＳ（Channel  State  Information  −  Reference  Signal）について説明する。
【００１３】
図１は、ＣＲＳの構成について説明するための図である。図１は、ＣＲＳの配置構成の説明図である。ＣＲＳは、全てのリソースブロックおよび全てのサブフレームに割り当てられている。
【００１４】
ＣＲＳは、セル共通参照信号として所定の周波数、時間、送信電力、位相で移動端末装置に送信される。これらＣＲＳの周波数や送信電力は、後述するセルＩＤや報知信号により移動端末装置側で認識される。ＣＲＳは、概して、移動端末装置におけるユーザデータの復調、並びに、下りリンクのチャネル測定に用いられる。ＣＲＳを用いたチャネル測定には、スケジューリングや適応制御のための下りリンクのチャネル品質（CQI：Channel  Quality  Indicator）測定、およびセルサーチやハンドオーバのための下りの平均的な伝搬路状態の測定（モビリティ測定）が含まれる。
【００１５】
図１（ａ）に示すように、ＣＲＳは、ＬＴＥで規定される１リソースブロックにおいて、ユーザデータやＤＭ−ＲＳ（Demodulation  −  Reference  Signal）と重ならないように配置されている。１リソースブロックは、周波数方向に連続する１２サブキャリアと、時間軸方向に連続する１４シンボルとで構成される。また、図１（ｂ）に示すように、ＣＲＳは、セル毎に周波数方向にシフトされており、隣接するセル間での干渉が抑えられている。図１に示す例では、セルＣ２におけるＣＲＳは、セルＣ１におけるＣＲＳに対して、周波数方向に１サブキャリア分だけシフトしてマッピングされている。
【００１６】
このＣＲＳは、位置、系列および送信電力というパラメータで特定される。これらのパラメータのうち、ＣＲＳの割り当てリソースは、セルＩＤに関連付けられている。すなわち、セルＩＤにより周波数方向にシフトされるＣＲＳの位置が定められるため、移動端末装置は在圏セルのセルＩＤを認識することでＣＲＳの配置構成を特定する。ＣＲＳの系列はセルＩＤに関連付けられ、送信電力は報知信号で通知される。なお、ＣＲＳの位置および系列を特定するためのセルＩＤは、セルサーチにより移動端末装置に認識される。
【００１７】
次に、ＬＴＥ−Ａシステムの下りリンクで検討されているＣＳＩ-ＲＳ構成について説明する。ＣＲＳは全てのリソースブロックおよび全てのサブフレームに割り当てられるが、ＣＳＩ-ＲＳは所定の周期で割り当てられる。例えば、図２に示すサブフレーム構成では、セルＣ１およびセルＣ２は、１０サブフレーム毎にＣＳＩ-ＲＳが割り当てられている。また、セルＣ３は、セルＣ１およびセルＣ２に対して２サブフレーム分だけオフセットされて、１０サブフレーム毎にＣＳＩ-ＲＳが割り当てられている。
【００１８】
またＣＳＩ-ＲＳは、多地点協調によるデータチャネル信号の送受信を考慮して、サービングセルだけでなく隣接セルのＣＱＩ測定を行うことを考慮して設計されている。一方、ＣＳＩ-ＲＳは、ＣＲＳと同様に、位置、系列および送信電力というパラメータで特定される。ＣＳＩ-ＲＳの位置には、サブフレームオフセット、周期、サブキャリア−シンボルオフセット（ＣＳＩ-ＲＳインデックス）が含まれる。
【００１９】
サブフレームオフセットは、先頭サブフレームからのズレ量を示す。サブフレームオフセットは、セルＩＤに関連付けられるか、または報知信号により通知される。周期は、ＣＳＩ-ＲＳ送信用のサブフレームの繰り返し周期を示し、図２では１０ｍｓｅｃに設定されている。周期は、報知信号により通知される。サブキャリア‐シンボルオフセットは、リソースブロック内におけるＣＳＩ-ＲＳの割り当てリソースを示す。サブキャリア‐シンボルオフセットは、ＣＲＳと同様にセルＩＤに関連付けられるか、または報知信号により通知される。
【００２０】
ＣＳＩ-ＲＳの系列はセルＩＤに関連付けられ、送信電力は報知信号により通知される。このように、移動端末装置は、基地局装置から報知信号を受信すると共に、セルサーチによりセルＩＤを認識することで、ＣＳＩ-ＲＳを受信するのに必要な情報を取得する。
【００２１】
図３は、ＣＳＩ-ＲＳの配置構成を説明するための図である。ＣＳＩ-ＲＳは、ＬＴＥで規定される１リソースブロックにおいて、ユーザデータやＤＭ−ＲＳと重ならないように配置される。ＰＡＰＲを抑制する観点から、ＣＳＩ-ＲＳを送信可能なリソースは、時間軸方向に隣接する２つのリソースエレメントがセットで割り当てられる。図３に示されるＣＳＩ-ＲＳ構成では、ＣＳＩ-ＲＳ用リソースとして４０リソースエレメントが確保されている。この４０リソースエレメントには、ＣＳＩ-ＲＳポート数（アンテナ数）に応じてＣＳＩ-ＲＳの配置パターンが設定される。
【００２２】
ＣＳＩ-ＲＳポート数が８の場合、４０リソースエレメントの中の８つのリソースエレメントにＣＳＩ-ＲＳが割り当てられる。例えば、図３（ａ）に示すように、５パターン（インデックス＃０−＃４）のいずれかを選択できる。この場合、１パターンを構成するリソースエレメントには同一のインデックスが付されている。ＣＳＩ-ＲＳポート数が４の場合、４０リソースエレメントの中の４つのリソースエレメントにＣＳＩ-ＲＳが割り当てられる。例えば、図３（ｂ）に示すように、１０パターン（インデックス＃０−＃９）のいずれかを選択できる。
【００２３】
ＣＳＩ-ＲＳポート数が２の場合、４０リソースエレメントの中の２つのリソースエレメントにＣＳＩ-ＲＳが割り当てられる。例えば、図３（ｃ）に示すように、２０パターン（インデックス＃０−＃１９）のいずれかを選択できる。ＣＳＩ-ＲＳは、セル毎に異なる配置パターンが選択されることで、隣接するセル間での干渉が抑制される。また、ＣＳＩ-ＲＳの配置パターンは、図３（ａ）−（ｃ）に示すＦＤＤのノーマルパターンの他、図３（ｄ）−（ｆ）に示すように、ＦＤＤのオプションとしてＴＤＤのアディショナルパターンを加えたパターンでもよい。さらに、ＣＳＩ-ＲＳの配置パターンは、ＬＴＥのRel.10で検討されているノーマルパターンを拡張したエクステンデッドパターンでもよい。以下の説明では、説明の便宜上、ＦＤＤのノーマルパターンを例示して説明する。
【００２４】
ところで、上記したようにＣＳＩ-ＲＳは、多地点協調によるデータチャネル信号の送受信を考慮して、サービングセルだけでなく隣接セルのＣＱＩを測定するようにも設計されている。ＣＳＩ-ＲＳを用いたＣＱＩ測定においては、隣接セルからのデータ干渉により測定精度が劣化する場合がある。例えば、図４（ａ）に示すように、セルＣ１の下りリンクリソースにおいて、隣接セルＣ２のＣＳＩ-ＲＳに対応してユーザデータが配置されている。また、セルＣ２の下りリンクリソースにおいて、隣接セルＣ１のＣＳＩ-ＲＳに対応してユーザデータが配置されている。これらユーザデータは、各セルにおけるＣＳＩ-ＲＳの干渉成分を構成し、移動端末装置におけるチャネル品質の推定精度を劣化させる要因となる。
【００２５】
このようなユーザデータの配置に起因するチャネル品質の推定精度の劣化を改善するため、ミューティングが検討されている。ミューティングにおいては、図４（ｂ）に示すように、隣接セルのＣＳＩ-ＲＳに対応するリソースにユーザデータを配置せずにミューティングリソースが設定される。セルＣ１の下りリンクのリソースブロックにおいて、セルＣ２のＣＳＩ-ＲＳに対応してミューティングリソースが設定される。また、セルＣ２の下りリンクのリソースブロックにおいて、セルＣ１のＣＳＩ-ＲＳに対応してミューティングリソースが設定される。
【００２６】
このような構成により、隣接セルのユーザデータに起因するＣＳＩ-ＲＳの干渉成分を排除して、移動端末装置におけるチャネル品質の推定精度を改善している。しかしながら、隣接セル間でＣＳＩ-ＲＳの送信周期が異なると、ミューティングの設定タイミングにズレが生じてチャネル品質の推定精度が劣化するという問題がある。例えば、図５に示すように、セルＣ１では５サブフレーム（５ｍｓｅｃ）置きにＣＳＩ-ＲＳ送信用のサブフレームが送信される。一方、セルＣ２では１０サブフレーム（１０ｍｓｅｃ）置きにＣＳＩ-ＲＳ送信用のサブフレームが送信され、セルＣ３では２０サブフレーム（２０ｍｓｅｃ）置きにＣＳＩ-ＲＳ送信用のサブフレームが送信される。
【００２７】
この場合、移動端末装置が、セルＣ１からはＣＳＩ-ＲＳ送信用のサブフレームを受信するが、セルＣ２およびセルＣ３からはＣＳＩ-ＲＳ送信用でないサブフレームを受信するタイミングがある。このタイミングでは、セルＣ１のＣＳＩ-ＲＳ送信用のサブフレームには、セルＣ２、セルＣ３に対してミューティングが設定されている。しかしながら、セルＣ２、Ｃ３のＣＳＩ-ＲＳ送信用でないサブフレームには、セルＣ１に対してミューティングが設定されていない。移動端末装置は、セルＣ２、セルＣ３からの干渉を受けたＣＳＩ-ＲＳによりセルＣ１をチャネル推定するため、推定精度を一定に保てない。
【００２８】
また、隣接セル間で相互にミューティングを行う場合には、隣接セルのために自セルのデータチャネルを無送信とすることから、移動端末装置に対してミューティングリソースの位置を通知する必要がある。これは、基地局装置においてミューティングリソースを避けてレートマッチングが行われるため、移動端末装置がミューティングリソースを認識してディレートマッチングを行う必要があるためである。移動端末装置が、ミューティングリソースを認識しないと、ミューティングリソースに対しても復調処理がされるため、復調処理のスループットおよび復調精度が劣化する。
【００２９】
そこで、本発明者らは、これらの問題を解決するために、本発明に至った。すなわち、本発明の第１の骨子は、基地局装置から移動端末装置に複数セル間でミューティングリソースが設定されたサブフレームを通知することで、移動端末装置にて一定の推定精度でチャネル推定を行わせることである。また、本発明の第２の骨子は、ミューティングリソースのシグナリングにより移動端末装置の復調処理のスループットおよび復調精度を向上させることである。
【００３０】
まず、本発明に係るミューティングの説明の前に、ＣＳＩ-ＲＳを用いたＣＱＩ測定について説明する。ＣＳＩ-ＲＳを用いたＣＱＩ測定は、ＣＲＳを用いたＣＱＩ測定と異なり、サービングセルだけでなく隣接セルに対しても行われる。このように、複数のセルのチャネル品質を測定するのは、多地点協調によるユーザデータの送受信を考慮するためである。
【００３１】
図６を参照して、隣接セルのＣＱＩ測定について説明する。図６は、隣接セルのＣＱＩの測定方法の説明図である。
【００３２】
図６に示すように、サービングセルに設置された基地局装置２０Ａは、隣接セルに設置された基地局装置２０Ｂ、２０ＣとＣＳＩ-ＲＳパラメータを送受信可能に接続されている。基地局装置２０Ａ、２０Ｂ、２０Ｃの接続形態は、特に限定されるものではなく、有線接続又は無線接続のいずれであってもよい。このシステムにおいて、ＣＳＩ-ＲＳの位置、系列、送信電力等のパラメータが、隣接セルの基地局装置２０Ｂ、２０Ｃからサービングセルの基地局装置２０Ａに送信される。基地局装置２０Ａは、基地局装置２０Ｂ、２０Ｃから受信したＣＳＩ-ＲＳのパラメータと自セルのＣＳＩ-ＲＳのパラメータとを含む報知信号を生成し、移動端末装置１０に送信する。
【００３３】
サービングセルにおけるＣＳＩ-ＲＳのパラメータとしては、ＣＳＩ-ＲＳの位置、送信電力が含まれる。また、隣接セルにおけるＣＳＩ-ＲＳのパラメータとしては、隣接セルＩＤ、ＣＳＩ-ＲＳの位置、系列、送信電力が含まれる。移動端末装置１０は、サービングセルからの報知信号により、隣接セルのＣＳＩ-ＲＳの位置、系列、送信電力を特定して、隣接セルのＣＱＩ測定を行う。サービングセルにおけるＣＳＩ-ＲＳの系列は、セルＩＤに関連付けられており、セルサーチにより移動端末装置１０に認識される。
【００３４】
移動端末装置１０は、測定したＣＱＩをサービングセルの基地局装置２０Ａおよび隣接セルの基地局装置２０Ｂ、２０Ｃにフィードバックする。もしくは、測定したＣＱＩをサービングセルの基地局装置２０Ａにフィードバックし、接続している隣接セルの基地局装置２０Ｂ、２０Ｃに通知して共有する。各基地局装置２０Ａ、２０Ｂ、２０ＣにフィードバックされたＣＱＩは、移動端末装置１０にユーザデータを送信する際のパラメータ（例えば、ＭＣＳ：Modulation  and  Coding  Scheme）の判断に用いられる。このように、セル間でＣＳＩ-ＲＳのパラメータが交信されることで、移動端末装置１０においてサービングセルだけでなく隣接セルのＣＱＩ測定が可能となる。
【００３５】
ＣＳＩ-ＲＳを用いたＣＱＩ測定においては、上記したように、隣接セルからの干渉によるＣＱＩ測定精度の改善を目的として、ミューティングが有効である。ミューティングでは、隣接セルにおいてＣＳＩ-ＲＳが配置されるリソースがミューティングリソース（ヌル）に設定されることで行われる。
【００３６】
上記したように、サービングセルと隣接セルとでＣＳＩ-ＲＳの送信周期が異なると、ミューティングの設定タイミングにズレが生じて、チャネル品質の推定精度が一定に保てない。よって、移動端末装置１０は、隣接するセル間での干渉が抑制されたサブフレームでチャネル推定を行う。移動端末装置１０は、このチャネル推定用のサブフレームを基地局装置２０Ａから通知されたミューティング間隔情報に基づいて特定する。ミューティング間隔情報は、サービングセルの基地局装置２０Ａから報知チャネル等により移動端末装置１０に通知される。
【００３７】
また、移動端末装置１０は、基地局装置２０Ａから通知されたミューティングリソース特定情報に基づいてミューティングの有無を認識し、その位置のデータは無送信であることを認識して、データの割り当てられているリソースエレメント数を認識する。ミューティングリソース特定情報は、基地局装置２０から報知チャネルにより移動端末装置１０に通知される。
【００３８】
なお、本実施の形態では、第１の通信制御方法および第２の通信制御方法により基地局装置と移動端末装置との間で通信制御される。第１の通信制御方法は、複数セル間で共通の共通送信間隔を用いた通信制御であり、第２の通信制御方法は、セル毎に固有の固有送信間隔を用いた通信制御である。
【００３９】
最初に、図７から図９を参照して、第１の通信制御について説明する。図７は、第１の通信制御における移動端末装置のチャネル推定タイミングの一例を示す図である。なお、説明の便宜上、セルＣ１−セルＣ３は同期するように設計されるものとする。
【００４０】
図７に示すように、セルＣ１では５サブフレーム（５ｍｓｅｃ）置きにＣＳＩ-ＲＳ送信用のサブフレームが送信され、セルＣ２では１０サブフレーム（１０ｍｓｅｃ）置きにＣＳＩ-ＲＳ送信用のサブフレームが送信され、セルＣ３では２０サブフレーム（２０ｍｓｅｃ）置きにＣＳＩ-ＲＳ送信用のサブフレームが送信される。また、セルＣ１−Ｃ３では、複数セルＣ１−Ｃ３の全てのＣＳＩ-ＲＳ送信用のサブフレームに対応して、５サブフレーム（５ｍｓｅｃ）置きに、複数セル間で共通の共通送信間隔が設定されている。共通送信間隔で示されるサブフレームには、隣接セルのＣＳＩ-ＲＳに対するミューティングが設定されている。すなわち、セルＣ１−Ｃ３では、ＣＳＩ-ＲＳ送信用のサブフレームか否かに関わらず、共通送信間隔で示されるサブフレームにミューティングが設定される。
【００４１】
このため、移動端末装置は、セルＣ１−Ｃ３のいずれからＣＳＩ-ＲＳ送信用のサブフレームでチャネル推定しても、隣接セルからのデータ干渉を受けるサブフレームを避けてチャネル推定できる。したがって、全てのＣＳＩ-ＲＳ用サブフレームにおいて一定の推定精度でチャネル推定できる。例えば、一点鎖線に示すタイミングでは、セルＣ１のＣＳＩ-ＲＳ送信用のサブフレームには、セルＣ２、セルＣ３に対してミューティングが設定されている。セルＣ２のサブフレームには、ＣＳＩ-ＲＳ送信用のサブフレームでないにも関わらず、セルＣ１、セルＣ３に対してミューティングが設定されている。セルＣ３のサブフレームには、ＳＩ-ＲＳ送信用のサブフレームでないにも関わらず、セルＣ１、セルＣ２に対してミューティングが設定されている。よって、ＣＳＩ-ＲＳが隣接セルのユーザデータにより干渉を受けることがない。
【００４２】
複数セルＣ１−Ｃ３間で共通の共通送信間隔は、ミューティングが設定されたサブフレームの送信間隔を示すミューティング間隔情報により基地局装置から移動端末装置に報知チャネルで通知される。この場合、サービングセルの基地局装置は、隣接セルの基地局装置からＣＳＩ-ＲＳの周期を取得し、サービングセルおよび隣接セルのＣＳＩ-ＲＳの周期に基づいてミューティング間隔情報を生成する。移動端末装置は、ミューティング間隔情報の受信により、共通送信間隔で示されるサブフレームでのみチャネル推定して、チャネル推定の推定精度を向上できる。
【００４３】
また、基地局装置は、ミューティングが設定されたサブフレームにおいて、ミューティングの設定によって節減される送信電力を、ＣＳＩ-ＲＳに割り当ててもよい。この場合、基地局装置は、サブフレーム毎にＣＳＩ-ＲＳの送信電力が変化するため、必要に応じて送信電力を示す送信電力情報を移動端末装置に通知する。送信電力情報は、基地局装置から移動端末装置に報知チャネルにより通知される。
【００４４】
図８および図９を参照して、第１の通信制御で用いられるミューティング通知方法について説明する。図８は、第１の通信制御で用いられるミューティング通知方法の一例を示す図である。図９は、第１の通信制御で用いられるミューティングの通知方法の他の一例を示す図である。
【００４５】
第１の通信制御で用いられるミューティングの通知方法は、複数のＣＳＩ-ＲＳ用リソースを１ブロック（１単位）として、ブロック単位でミューティングリソース特定情報を通知する。例えば、ＣＳＩ-ＲＳポート数が４の場合には２×１のリソースエレメント単位でミューティングリソース特定情報が通知され、ＣＳＩ-ＲＳポート数が８の場合には２×２のリソースエレメント単位でミューティングリソース特定情報が通知される。この場合、ＣＳＩ-ＲＳ用リソースにナンバリングされるインデックスとミューティングの有無とを１対１で対応付けたビットマップ形式でミューティングリソース特定情報を通知してもよい。
【００４６】
図８（ａ）では、ＣＳＩ-ＲＳポート数が４の場合の配置パターンを示している。具体的には、インデックス＃４、＃５のＣＳＩ-ＲＳ用リソースがミューティングリソースに設定されている。この場合、インデックス［＃０−＃９］に対応させて、ビットマップ情報として［００００１１００００］が通知される。ビットマップ情報では、ミューティング位置に“１”がセットされ、ミューティングしない位置に“０”がセットされる。また、全て“０”に設定することで、ミューティング無しの通知も可能である。
【００４７】
このビットマップベースの通知方法では、ポート数の多いＣＳＩ-ＲＳポートの配置パターンを用いて、ポート数の少ないＣＳＩ-ＲＳポートでミューティングリソースを通知することで、シグナリングビット数を低減できる。例えば、２ＣＳＩ-ＲＳポートの配置パターンを用いて、２ＣＳＩ-ＲＳポートでミューティングリソースを通知する場合には、インデックス［＃０−＃１９］に対応してシグナリングビット数が２０ビット必要である。これに対し、図８（ｂ）に示すように、４ＣＳＩ-ＲＳポートの配置パターンを用いて、２ＣＳＩ-ＲＳポートでミューティングリソースを通知する場合には、インデックス［＃０−＃９］を用いて、シグナリングビット数を１０ビットに低減できる。
【００４８】
また、４ＣＳＩ-ＲＳポートの配置パターンを用いて、４ＣＳＩ-ＲＳポートでミューティングリソースを通知する場合には、インデックス［＃０−＃９］に対応して、シグナリングビット数が１０ビット必要である。これに対し、図８（ｃ）に示すように、８ＣＳＩ-ＲＳポートの配置パターンを用いて、４ＣＳＩ-ＲＳポートでミューティングリソースを通知する場合には、インデックス［＃０−＃４］を用いて、シグナリングビット数を５ビットに低減できる。なお、ビットマップ情報は、ミューティング位置に“０”をセットし、ミューティングしない位置に“１”をセットしてもよい。
【００４９】
なお、第１の通信制御で用いられるミューティングの通知方法では、ビットマップベースの通知方法に限定されず、ブロック単位でミューティングリソース特定情報を通知するものであれば、どのように通知してもよい。例えば、図９に示すように、ＣＳＩ-ＲＳの配置パターンとは別にミューティングリソースの配置パターンを規定し、ミューティングリソースの配置パターンを用いてミューティングリソース特定情報を通知してもよい。ミューティングリソースの配置パターンとしては、例えば、相対的にミューティングリソース数の少ない第１のブロックパターンと相対的にミューティングリソース数の多い第２のブロックパターンとを用いることができる。
【００５０】
図９（ａ）に示すように、第１のブロックパターンは、シンボル＃９、＃１０において、ＣＳＩ-ＲＳが配置されたリソースに対して、１サブキャリア置きに配置された複数のＣＳＩ-ＲＳ用リソースを一纏めにしてブロック化される。このため、１サブキャリア置きに、ＣＳＩ-ＲＳまたはミューティングリソースが設定される。第１のブロックパターンでは、ミューティングリソース数を少なくして、ユーザデータの割り当てリソースを多めに確保することができるが、ＣＳＩ-ＲＳに対する隣接セルからの干渉を抑制することができない可能性がある。
【００５１】
一方、図９（ｂ）に示すように、第２のブロックパターンは、シンボル＃９、＃１０において、ＣＳＩ-ＲＳが配置されたリソース以外のＣＳＩ-ＲＳ用リソースがブロック化される。このため、ＣＳＩ-ＲＳが配置されたリソース以外のリソースにミューティングリソースが設定される。第２のブロックパターンでは、第１のブロックパターンと比較してＣＳＩ-ＲＳに対する隣接セルからの干渉を抑制できるが、ミューティングリソースが多くなり、ユーザデータの割り当てリソースが減少される。
【００５２】
ミューティングリソースの配置パターンが２種類の場合には、第１のブロックパターンおよび第２のブロックパターンが１ビットで通知される。例えば、第１のブロックパターンでは、ミューティングリソース特定情報として“０”が通知され、第２のブロックパターンでは、ミューティングリソース特定情報として“１”が通知される。このような構成により、シグナリングビット数を大幅に低減できる。
【００５３】
なお、第１、第２のブロックパターンは、基地局装置と移動端末装置との間で予め規定されていてもよいし、所定のタイミングで同期されてもよい。また、第１のブロックパターンでは、ミューティングリソース特定情報として“１”が通知され、第２のブロックパターンでは、ミューティングリソース特定情報として“０”が通知されてもよい。また、ミューティングリソースの配置パターンは、第１、第２のブロックパターンに限らず、ミューティングリソースの配置用に規定されたパターンであればよい。
【００５４】
このように、ミューティングリソース特定情報が、第１の通信制御により移動端末装置に通知される。この場合、ミューティングリソース特定情報は、報知チャネルにより通知される。移動端末装置では、ミューティングリソースの通知により、ミューティングリソースを無視してユーザデータを復調できる。よって、移動端末装置の復調処理のスループットおよび復調精度が向上される。
【００５５】
第１の通信制御では、多地点協調送信に未対応の移動端末装置に対しても、ミューティング間隔情報および送信電力情報が通知される。このため、これらミューティングパラメータのシグナリングにより多地点協調送信に未対応の移動端末装置の無線リソースが余計に使用される場合がある。よって、第２の通信制御では、多地点協調送信に対応した移動端末装置にのみ、ミューティング間隔情報および送信電力情報が通知される構成としてもよい。
【００５６】
なお、多地点協調送信は、ＣＳ／ＣＢ（Coordinated  Scheduling/Coordinated  Beamforming）およびJoint  processingを含む。ＣＳ／ＣＢの多地点協調送信では、移動端末装置に対して所定のサブフレームにおいて１つのセルから送信され、他セルの移動端末に対する干渉を低減するようにスケジューリングおよびビームフォーミングが行われる。一方、Joint  processingの多地点協調送信では、移動端末装置に対して複数セルから同一時間および同一周波数の無線リソースを用いて同時に送信が行われる。Joint  processingの多地点協調送信では、他セルへの干渉を考慮して瞬時にセル選択されもよい。
【００５７】
次に、図１０および図１１を参照して、第２の通信制御について説明する。図１０は、第２の通信制御における移動端末装置のチャネル推定タイミングの一例を示す図である。なお、説明の便宜上、セルＣ１−セルＣ３は同期するように設計されるものとする。
【００５８】
図１０に示すように、セルＣ１では５サブフレーム（５ｍｓｅｃ）置きにＣＳＩ-ＲＳ送信用のサブフレームが送信され、セルＣ２では１０サブフレーム（１０ｍｓｅｃ）置きにＣＳＩ-ＲＳ送信用のサブフレームが送信され、セルＣ３では２０サブフレーム（２０ｍｓｅｃ）置きにＣＳＩ-ＲＳ送信用のサブフレームが送信される。また、各セルＣ１−Ｃ３には、隣接セルのＣＳＩ-ＲＳ送信用のサブフレームに対応して、セル毎に固有の固有送信間隔が設定されている。固有送信間隔で示されるサブフレームには、隣接セルのＣＳＩ-ＲＳに対するミューティングが設定されている。すなわち、セルＣ１−Ｃ３間では、隣接セルのデータ干渉を避けるようにミューティングが設定される。
【００５９】
このため、移動端末装置は、セルＣ１−Ｃ３のいずれからＣＳＩ-ＲＳ送信用のサブフレームでチャネル推定しても、隣接セルからのデータ干渉を受けるサブフレームを避けてチャネル推定できる。したがって、全てのＣＳＩ-ＲＳ用サブフレームにおいて一定の推定精度でチャネル推定できる。例えば、一点鎖線に示すタイミングでは、セルＣ１のＣＳＩ-ＲＳ送信用のサブフレームには、セルＣ２、セルＣ３に対してミューティングが設定されていない。セルＣ２のサブフレームには、ＣＳＩ-ＲＳ送信用のサブフレームでないにも関わらず、セルＣ１に対してミューティングが設定されている。セルＣ３のサブフレームには、ＣＳＩ-ＲＳ送信用のサブフレームでないにも関わらず、セルＣ１に対してミューティングが設定されている。よって、セルＣ１のＣＳＩ-ＲＳが隣接セルのユーザデータにより干渉を受けることがない。
【００６０】
セルＣ１−Ｃ３毎に固有の固有送信間隔は、ミューティング間隔情報により基地局装置から多地点協調送信に対応した移動端末装置に対して、制御チャネルおよびデータチャネル等で個別に通知される。この場合、サービングセルの基地局装置は、隣接セルの基地局装置からＣＳＩ-ＲＳの周期を取得し、隣接セルのＣＳＩ-ＲＳの周期に基づいてミューティング間隔情報を生成する。移動端末装置は、ミューティング間隔情報の受信により、固有送信間隔で示される複数セルＣ１−Ｃ３間のミューティングを特定し、干渉抑制されたサブフレームでチャネル推定の推定精度を向上できる。
【００６１】
また、セルＣ１−Ｃ３では、隣接セルのＣＳＩ-ＲＳ送信用のサブフレームに対応したサブフレームにのみミューティングが設定されているため、ミューティングによるオーバヘッドを低減できる。例えば、一点鎖線に示すタイミングでは、セルＣ１のＣＳＩ-ＲＳサブフレームには、セルＣ２、セルＣ３に対してミューティングが設定されていない。このため、基地局装置から移動端末装置に対して、ミューティングリソース特定情報を通知する必要なく、ミューティングによるシグナリングを最小化できる。
【００６２】
また、基地局装置は、ミューティングが設定されたサブフレームにおいて、ミューティングの設定によって節減される送信電力を、ＣＳＩ-ＲＳに割り当ててもよい。この場合、基地局装置は、サブフレーム毎にＣＳＩ-ＲＳの送信電力が変化するため、必要に応じて送信電力を示す送信電力情報を、移動端末装置に通知する。送信電力情報は、基地局装置から移動端末装置に制御チャネルおよびデータチャネル等で個別に通知される。
【００６３】
図１１を参照して、第２の通信制御で用いられるミューティング通知方法について説明する。図１１は、第２の通信制御で用いられるミューティング通知方法の一例を示す図である。
【００６４】
第２の通信制御で用いられるミューティングの通知方法は、隣接セルのＣＳＩ-ＲＳポート数とＣＳＩ-ＲＳ用リソースにナンバリングされるインデックスとによりミューティングリソース特定情報を通知する。隣接セルのＣＳＩ-ＲＳポート数は、隣接セルにおけるＣＳＩ-ＲＳの配置パターンを選択するために用いられる。インデックスは、ＣＳＩ-ＲＳの配置パターンに応じたＣＳＩ-ＲＳ用リソースから、隣接セルのＣＳＩ-ＲＳが配置されるリソースに対応したミューティングリソースを特定するために用いられる。この第２のミューティングの通知方法では、ＣＳＩ-ＲＳのシグナルが用いられるため、ミューティング用の新たなシグナルの定義が不要となる。
【００６５】
図１１（ａ）では、サービングセル及び隣接セル全てのＣＳＩ-ＲＳポート数が８の場合のＣＳＩ-ＲＳの配置パターンを示している。この配置パターンでは、ミューティングリソースがインデックス＃０−＃４によって５パターンで設定されるため、１つのインデックスが３ビットで通知される。また、ＣＳＩ-ＲＳポート数の通知には、ＣＳＩ-ＲＳポート数が８ポート、４ポート、２ポートの３種類なので、最低２ビット必要である。図１１（ａ）では、インデックス＃１、＃２のＣＳＩ-ＲＳ用リソースがミューティングリソースに設定されている。このため、ミューティングリソース特定情報として、インデックスの通知に６ビット、ＣＳＩ-ＲＳポート数の通知に４ビットの計１０ビットが通知される。
【００６６】
図１１（ｂ）では、サービングセル及び隣接セル全てのＣＳＩ-ＲＳポート数が４の場合のＣＳＩ-ＲＳの配置パターンを示している。この配置パターンでは、ミューティングリソースがインデックス＃０−＃９によって１０パターンで設定されるため、１つのインデックスが４ビットで通知される。図１１（ｂ）では、インデックス＃２、＃３のＣＳＩ-ＲＳ用リソースがミューティングリソースに設定されている。このため、ミューティングリソース特定情報として、インデックスの通知に８ビット、ＣＳＩ-ＲＳポート数の通知に４ビットの計１２ビットが通知される。
【００６７】
図１１（ｃ）では、サービングセル及び隣接セル全てのＣＳＩ-ＲＳポート数が２の場合のＣＳＩ-ＲＳの配置パターンを示している。この配置パターンでは、ミューティングリソースがインデックス＃０−＃１９によって２０パターンで設定されるため、１つのインデックスが５ビットで通知される。図１１（ｃ）では、インデックス＃４、＃６のＣＳＩ-ＲＳ用リソースがミューティングリソースに設定されている。このため、ミューティングリソース特定情報として、インデックスの通知に１０ビット、ＣＳＩ-ＲＳポート数の通知に４ビットの計１４ビットが通知される。
【００６８】
このように、ミューティングリソース特定情報が、第２の通信制御により移動端末装置に通知される。この場合、ミューティングリソース特定情報は、報知チャネルにより移動端末装置に通知される。移動端末装置では、ミューティングリソースの通知により、ミューティングリソースを無視してユーザデータを復調できる。よって、移動端末装置の復調処理のスループットおよび復調精度が向上される。
【００６９】
ここで、本発明の実施例に係る無線通信システムについて詳細に説明する。図１２は、本実施例に係る無線通信システムのシステム構成の説明図である。なお、図１２に示す無線通信システムは、例えば、ＬＴＥシステム或いは、ＳＵＰＥＲ  ３Ｇが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれても良いし、４Ｇと呼ばれても良い。
【００７０】
図１２に示すように、無線通信システム１は、基地局装置２０Ａ、２０Ｂ、２０Ｃと、この基地局装置２０Ａ、２０Ｂ、２０Ｃと通信する複数の移動端末装置１０（１０１、１０２、１０３、・・・１０ｎ、ｎはｎ＞０の整数）とを含んで構成されている。基地局装置２０Ａ、２０Ｂ、２０Ｃは、上位局装置３０と接続され、この上位局装置３０は、コアネットワーク４０と接続される。移動端末装置１０は、セルＣ１、Ｃ２、Ｃ３において基地局装置２０Ａ、２０Ｂ、２０Ｃと通信を行うことができる。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００７１】
各移動端末装置（１０１、１０２、１０３、・・・１０ｎ）は、ＬＴＥ端末及びＬＴＥ−Ａ端末を含むが、以下においては、特段の断りがない限り移動端末装置１０として説明を進める。また、説明の便宜上、基地局装置２０Ａ、２０Ｂ、２０Ｃと無線通信するのは移動端末装置１０であるものとして説明するが、より一般的には移動端末装置も固定端末装置も含むユーザ装置（UE：User  Equipment）でよい。
【００７２】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、上りリンクの無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００７３】
ここで、ＬＴＥシステムにおける通信チャネルについて説明する。
下りリンクの通信チャネルは、各移動端末装置１０で共有される下りデータチャネルとしてのＰＤＳＣＨ（Physical  Downlink  Shared  Channel）と、下りＬ１／Ｌ２制御チャネル（PDCCH、PCFICH、PHICH）とを有する。ＰＤＳＣＨにより、送信データ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ Indicator  Channel）により、ＰＵＳＣＨに対するＨＡＲＱのＡＣＫ/ＮＡＣＫが伝送される。
【００７４】
上りリンクの通信チャネルは、各移動端末装置で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、送信データや上位制御情報が伝送される。また、ＰＵＣＣＨにより、下りリンクの無線品質情報（CQI：Channel  Quality  Indicator）、ＡＣＫ/ＮＡＣＫ等が伝送される。
【００７５】
図１３を参照しながら、本実施の形態に係る基地局装置の全体構成について説明する。なお、基地局装置２０Ａ、２０Ｂ、２０Ｃは、同様な構成であるため、基地局装置２０として説明する。基地局装置２０は、送受信アンテナ２０１と、アンプ部２０２と、送受信部（通知部）２０３と、ベースバンド信号処理部２０４と、呼処理部２０５と、伝送路インターフェース２０６とを備えている。下りリンクにより基地局装置２０から移動端末装置１０に送信される送信データは、上位局装置３０から伝送路インターフェース２０６を介してベースバンド信号処理部２０４に入力される。
【００７６】
ベースバンド信号処理部２０４において、下りデータチャネルの信号は、ＰＤＣＰレイヤの処理、送信データの分割・結合、ＲＬＣ（radio  link  control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（IFFT：Inverse  Fast  Fourier  Transform）処理、プリコーディング処理が行われる。また、下りリンク制御チャネルである物理下りリンク制御チャネルの信号に関しても、チャネル符号化や逆高速フーリエ変換等の送信処理が行われる。
【００７７】
また、ベースバンド信号処理部２０４は、報知チャネルにより、同一セルに接続する移動端末装置１０に対して、各移動端末装置１０が基地局装置２０との無線通信するための制御情報を通知する。当該セルにおける通信のための報知情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）等が含まれる。
【００７８】
送受信部２０３は、ベースバンド信号処理部２０４から出力されたベースバンド信号を無線周波数帯に周波数変換する。アンプ部２０２は周波数変換された送信信号を増幅して送受信アンテナ２０１へ出力する。
【００７９】
一方、上りリンクにより移動端末装置１０から基地局装置２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００８０】
ベースバンド信号処理部２０４は、上りリンクで受信したベースバンド信号に含まれる送信データに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００８１】
呼処理部２０５は、通信チャネルの設定や解放等の呼処理や、基地局装置２０の状態管理や、無線リソースの管理を行う。
【００８２】
次に、図１４を参照しながら、本実施の形態に係る移動端末装置の全体構成について説明する。ＬＴＥ端末もＬＴＥ-Ａ端末もハードウエアの主要部構成は同じであるので、区別せずに説明する。移動端末装置１０は、送受信アンテナ１０１と、アンプ部１０２と、送受信部（受信部）１０３と、ベースバンド信号処理部１０４と、アプリケーション部１０５とを備えている。
【００８３】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクの送信データは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００８４】
一方、上りリンクの送信データは、アプリケーション部１０５からベースバンド信号処理部１０４に入力される。ベースバンド信号処理部１０４においては、マッピング処理、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２で増幅されて送受信アンテナ１０１より送信される。
【００８５】
図１５を参照して、第１の通信制御における基地局装置の機能ブロックについて説明する。図１５は、第１の通信制御における基地局装置の機能ブロックの説明図である。なお、図１５の各機能ブロックは、主にベースバンド処理部の処理内容である。また、図１５に示す機能ブロックは、本発明を説明するために簡略化したものであり、ベースバンド処理部において通常備える構成は備えるものとする。また、以下の説明では、ＣＳＩ-ＲＳが配置されたリソースを特定するためのインデックスをＣＳＩ-ＲＳインデックスとして説明する。
【００８６】
図１５に示すように、基地局装置２０は、ＣＳＩ-ＲＳ配置部２１１と、ＣＳＩ-ＲＳインデックス生成部２１２と、ミューティングリソース設定部２１３と、ミューティングリソース特定情報生成部２１４と、ＣＳＩ-ＲＳパラメータ生成部２１５と、ミューティング間隔情報生成部２１６と、送信電力設定部２１８と、送信電力情報生成部２１９と、報知信号生成部２１７と、送受信部２０３とを有している。
【００８７】
ＣＳＩ-ＲＳ配置部２１１は、リソーブロックにおけるＣＳＩ-ＲＳ送信用リソースに、ＣＳＩ-ＲＳポート数に応じてＣＳＩ-ＲＳを配置する。ＣＳＩ-ＲＳインデックス生成部２１２は、ＣＳＩ-ＲＳ配置部２１１によりＣＳＩ-ＲＳが配置されたリソースに対応したＣＳＩ-ＲＳインデックスを生成する。ＣＳＩ-ＲＳインデックス生成部２１２で生成されたＣＳＩ-ＲＳインデックスは、ＣＳＩ-ＲＳパラメータの一つとして報知信号生成部２１７に入力される。
【００８８】
ミューティングリソース設定部２１３は、隣接セルにおいてＣＳＩ-ＲＳが配置されるリソースに対応したリソースをミューティングリソースに設定する。なお、本実施の形態では、ミューティングリソースは、全くデータが割り当てられないリソースとしてもよいし、隣接セルのＣＳＩ-ＲＳに干渉を与えない程度にデータが割り当てるリソースとして規定されてもよい。さらに、ミューティングリソースは、隣接セルのＣＳＩ-ＲＳに対して干渉を与えない程度の送信電力で送信されるリソースとして規定されてもよい。
【００８９】
ミューティングリソース特定情報生成部２１４は、第１の通信制御で用いられるミューティングリソース特定情報を生成する。ミューティングリソース特定情報として、ビットマップ情報またはミューティングリソースの配置パターンが生成される。ミューティングリソース特定情報が移動端末装置１０に通知されると、移動端末装置１０側でミューティングリソース特定情報に示されるリソースがミューティングリソースとして認識される。ミューティングリソース特定情報は、ミューティングパラメータの一つとして報知信号生成部２１７に入力される。
【００９０】
ＣＳＩ-ＲＳパラメータ生成部２１５は、ＣＳＩ-ＲＳインデックス以外のＣＳＩ-ＲＳの系列や送信電力等のパラメータを生成する。ＣＳＩ-ＲＳパラメータ生成部２１５に生成されたＣＳＩ-ＲＳパラメータは、報知信号生成部２１７に入力される。また、ＣＳＩ-ＲＳパラメータ生成部２１５は、送信電力設定部２１８により送信電力が割り当てられる場合には、ＣＳＩ-ＲＳインデックスおよび送信電力以外のパラメータを生成する。
【００９１】
ミューティング間隔情報生成部２１６は、複数セルＣ１−Ｃ３間のＣＳＩ-ＲＳ送信用の全てのサブフレームに対応して、複数セル間で共通の共通送信間隔を示すミューティング間隔情報を生成する。ミューティング間隔情報生成部２１６は、自セルにおけるＣＳＩ-ＲＳの送信周期と隣接セルから取得したＣＳＩ-ＲＳの送信周期とに基づいてミューティング間隔情報を生成する。ミューティング間隔情報生成部２１６で生成されたミューティング間隔情報は、報知信号生成部２１７に入力される。
【００９２】
送信電力設定部２１８は、ミューティングリソースの設定により節減される送信電力を、ＣＳＩ-ＲＳに割り当てて送信電力を設定する。送信電力情報生成部２１９は、ＣＳＩ-ＲＳに設定された送信電力を示す送信電力情報を生成する。送信電力情報が移動端末装置１０に通知されると、移動端末装置１０側でＣＳＩ-ＲＳの送信電力の変化を認識してＣＳＩ-ＲＳを受信する。送信電力情報は、ＣＳＩ-ＲＳパラメータの一つとして報知信号生成部２１７に入力される。なお、送信電力情報は、報知信号以外に制御信号に含めて通知することも可能である。
【００９３】
報知信号生成部２１７は、ＣＳＩ-ＲＳインデックス、ミューティングリソース特定情報、ミューティング間隔情報、その他のＣＳＩ-ＲＳパラメータ、送信電力情報を含めて報知信号を生成する。この場合、報知信号生成部２１７は、自セルにおけるＣＳＩ-ＲＳパラメータのみならず、送受信部２０３を介して受信した隣接セルのＣＳＩ-ＲＳパラメータを含めて報知信号を生成する。送受信部２０３は、ＣＳＩ-ＲＳおよび報知信号を移動端末装置１０に送信する。
【００９４】
図１６を参照して、第１の通信制御における移動端末装置の機能ブロックについて説明する。図１６は、第１の通信制御における移動端末装置の機能ブロックの説明図である。なお、図１６の各機能ブロックは、主にベースバンド処理部の処理内容である。また、図１６に示す機能ブロックは、本発明を説明するために簡略化したものであり、ベースバンド処理部において通常備える構成は備えるものとする。
【００９５】
図１６に示すように、移動端末装置１０は、送受信部１０３と、取得部１１１と、測定部１１２、ユーザデータ復調部１１３とを有している。送受信部１０３は、基地局装置２０からＣＳＩ-ＲＳおよび報知信号を受信する。取得部１１１は、報知信号を復調して信号の中身を解析することでＣＳＩ-ＲＳインデックス等のＣＳＩ-ＲＳパラメータ、ミューティングリソース特定情報等のミューティングパラメータ、ミューティング間隔情報を取得する。
【００９６】
測定部１１２は、ミューティング間隔情報に示される共通送信間隔にてＣＱＩ測定する。このタイミングでは、複数セル間でミューティングリソースが設定されるため、各セルのＣＳＩ-ＲＳが隣接セルのユーザデータにより干渉を受けることがない。また、測定部１１２は、ＣＳＩ-ＲＳの位置情報、系列、送信電力等のパラメータからサービングセルおよび隣接セルのＣＱＩを測定する。ＣＱＩ測定では、ミューティングされたリソースの干渉成分が考慮されてもよい。
【００９７】
ユーザデータ復調部１１３は、送受信部１０３を介して受信したユーザデータを復調する。ユーザデータ復調部１１３は、ミューティングリソース特定情報に示されるミューティングリソースを無視して、ユーザデータを復調する。このため、復調処理のスループットおよび復調精度が向上される。なお、ユーザデータ復調部１１３を設ける代わりに、取得部１１１でユーザデータの復調処理が行われてもよい。
【００９８】
図１７を参照して、第２の通信制御における基地局装置の機能ブロックについて説明する。図１７は、第２の通信制御における基地局装置の機能ブロックの説明図である。なお、図１７の各機能ブロックは、主にベースバンド処理部の処理内容である。また、図１７に示す機能ブロックは、本発明を説明するために簡略化したものであり、ベースバンド処理部において通常備える構成は備えるものとする。また、第１の通信制御と同一のブロックについては同一の符号を付して説明する。また、以下の説明では、ＣＳＩ-ＲＳが配置されたリソースを特定するためのインデックスをＣＳＩ-ＲＳインデックスとして説明する。
【００９９】
図１７に示すように、基地局装置２０は、ＣＳＩ-ＲＳ配置部２１１と、ＣＳＩ-ＲＳインデックス生成部２１２と、ミューティングリソース設定部２１３と、ミューティングリソース特定情報生成部２１４と、ＣＳＩ-ＲＳパラメータ生成部２１５と、ミューティング間隔情報生成部２１６と、送信電力設定部２１８と、送信電力情報生成部２１９と、報知信号生成部２１７と、制御信号生成部２２０と、送受信部２０３とを有している。
【０１００】
ＣＳＩ-ＲＳ配置部２１１は、リソーブロックにおけるＣＳＩ-ＲＳ送信用リソースに、ＣＳＩ-ＲＳポート数に応じてＣＳＩ-ＲＳを配置する。ＣＳＩ-ＲＳインデックス生成部２１２は、ＣＳＩ-ＲＳ配置部２１１によりＣＳＩ-ＲＳが配置されたリソースに対応したＣＳＩ-ＲＳインデックスを生成する。ＣＳＩ-ＲＳインデックス生成部２１２で生成されたＣＳＩ-ＲＳインデックスは、ＣＳＩ-ＲＳパラメータの一つとして報知信号生成部２１７に入力される。
【０１０１】
ミューティングリソース設定部２１３は、隣接セルにおいてＣＳＩ-ＲＳが配置されるリソースに対応したリソースをミューティングリソースに設定する。なお、本実施の形態では、ミューティングリソースは、全くデータが割り当てられないリソースとしてもよいし、隣接セルのＣＳＩ-ＲＳに干渉を与えない程度にデータが割り当てるリソースとして規定されてもよい。さらに、ミューティングリソースは、隣接セルのＣＳＩ-ＲＳに対して干渉を与えない程度の送信電力で送信されるリソースとして規定されてもよい。
【０１０２】
ミューティングリソース特定情報生成部２１４は、第２の通信制御で用いられるミューティングリソース特定情報を生成する。ミューティングリソース特定情報として、ミューティングリソースのインデックスおよび隣接セルのＣＳＩ-ＲＳポート数が生成される。ミューティングリソース特定情報が移動端末装置１０に通知されると、移動端末装置１０側でミューティングリソース特定情報に示されるリソースがミューティングリソースとして認識される。ミューティングリソース特定情報は、ミューティングパラメータの一つとして報知信号生成部２１７に入力される。
【０１０３】
ＣＳＩ-ＲＳパラメータ生成部２１５は、ＣＳＩ-ＲＳインデックス以外のＣＳＩ-ＲＳの系列や送信電力等のパラメータを生成する。ＣＳＩ-ＲＳパラメータ生成部２１５に生成されたＣＳＩ-ＲＳパラメータは、報知信号生成部２１７に入力される。また、ＣＳＩ-ＲＳパラメータ生成部２１５は、送信電力設定部２１８により送信電力が割り当てられる場合には、ＣＳＩ-ＲＳインデックスおよび送信電力以外のパラメータを生成する。
【０１０４】
ミューティング間隔情報生成部２１６は、隣接セルのＣＳＩ-ＲＳ送信用のサブフレームに対応して、セル毎に固有の固有送信間隔を示すミューティング間隔情報を生成する。ミューティング間隔情報生成部２１６は、隣接セルから取得したＣＳＩ-ＲＳの周期に基づいてミューティング間隔情報を生成する。ミューティング間隔情報で生成されたミューティング間隔情報は、移動端末装置に通知されるパラメータとして、報知信号生成部２１７に入力される。
【０１０５】
送信電力設定部２１８は、ミューティングリソースの設定により節減される送信電力を、ＣＳＩ-ＲＳに割り当てて送信電力を設定する。送信電力情報生成部２１９は、ＣＳＩ-ＲＳに設定された送信電力を示す送信電力情報を生成する。送信電力情報が移動端末装置１０に通知されると、移動端末装置１０側でＣＳＩ-ＲＳの送信電力の変化を認識してＣＳＩ-ＲＳを受信する。送信電力情報は、多地点協調送信に対応した移動端末装置に個別に通知される制御パラメータとして、制御信号生成部２２０に入力される。なお、送信電力情報は、ＣＳＩ-ＲＳのパラメータの一つとして、報知信号生成部２１７に入力されてもよい。
【０１０６】
報知信号生成部２１７は、ＣＳＩ-ＲＳインデックスおよびミューティングリソース特定情報、ミューティング間隔情報、その他のＣＳＩ-ＲＳパラメータを含めて報知信号を生成する。この場合、報知信号生成部２１７は、自セルにおけるＣＳＩ-ＲＳパラメータのみならず、送受信部２０３を介して受信した隣接セルのＣＳＩ-ＲＳパラメータを含めて報知信号を生成する。制御信号生成部２２０は、送信電力情報を含めて制御信号を生成する。この場合、制御信号生成部２２０は、例えば、多地点協調送信に対応した移動端末向けの個別信号として制御信号を生成する。送受信部２０３は、ＣＳＩ-ＲＳ、報知信号および制御信号を移動端末装置１０に送信する。
【０１０７】
図１８を参照して、第２の通信制御における移動端末装置の機能ブロックについて説明する。図１８は、第２の通信制御における移動端末装置の機能ブロックの説明図である。なお、図１８の各機能ブロックは、主にベースバンド処理部の処理内容である。また、図１８に示す機能ブロックは、本発明を説明するために簡略化したものであり、ベースバンド処理部において通常備える構成は備えるものとする。また、第１の通信制御と同一のブロックについては同一の符号を付して説明する。
【０１０８】
図１８に示すように、移動端末装置１０は、送受信部１０３と、取得部１１１と、測定部１１２、ユーザデータ復調部１１３とを有している。送受信部１０３は、基地局装置２０からＣＳＩ-ＲＳ、報知信号および制御信号を受信する。取得部１１１は、報知信号および制御信号を復調して信号の中身を解析することでＣＳＩ-ＲＳインデックス等のＣＳＩ-ＲＳパラメータ、ミューティングリソース特定情報等のミューティングパラメータ、ミューティング間隔情報を取得する。
【０１０９】
測定部１１２は、ミューティング間隔情報に示される固有送信間隔にて、隣接セル間のミューティングを特定してＣＱＩ測定する。このタイミングでは、複数セル間で隣接セルのＣＳＩ-ＲＳに対するミューティングリソースが設定されるため、各セルのＣＳＩ-ＲＳが隣接セルのユーザデータにより干渉を受けることがない。また、測定部１１２は、ＣＳＩ-ＲＳの位置情報、系列、送信電力等のパラメータからサービングセルおよび隣接セルのＣＱＩを測定する。ＣＱＩ測定では、ミューティングされたリソースの干渉成分が考慮されてもよい。
【０１１０】
ユーザデータ復調部１１３は、送受信部１０３を介して受信したユーザデータを復調する。ユーザデータ復調部１１３は、ミューティングリソース特定情報に示されるミューティングリソースを無視して、ユーザデータを復調する。このため、復調処理のスループットおよび復調精度が向上される。なお、ユーザデータ復調部１１３を設ける代わりに、取得部１１１でユーザデータの復調処理が行われてもよい。また、第２の通信制御においては、制御チャネルにより送信電力情報が通知される構成としたが、データチャネルにより通知される構成としてもよい。
【０１１１】
以上のように、本実施の形態に係る基地局装置２０によれば、移動端末装置１０が、ミューティング間隔情報の通知により、隣接するセル間での干渉が抑制されたサブフレームでチャネル推定できる。よって、複数セルにおけるＣＳＩ-ＲＳ送信用のサブフレームの送信周期が異なっていても、移動端末装置１０におけるチャネル品質の推定精度を一定に保つことができる。また、移動端末装置１０では、ミューティングリソース特定情報の通知により、ミューティングリソースを無視してユーザデータを復調できる。よって、移動端末装置の復調処理のスループットおよび復調精度を向上することができる。
【０１１２】
また、上記した本実施の形態においては、基地局装置が報知信号により複数の移動端末装置に対して一斉に、ミューティングリソースを通知する構成としたが、この構成に限定されるものではない。基地局装置は、移動端末装置に対して個別にミューティングリソースを通知する構成としてもよい。
【０１１３】
また、上記した本実施の形態においては、複数セル間でミューティングされることで、チャネル品質の推定精度が改善される構成としたが、この構成に限定されるものではない。複数エリア間でミューティングされればよく、例えば、複数セクタ間でミューティングされる構成としてもよい。
【０１１４】
また、上記した実施の形態においては、移動端末装置において、取得部がミューティングリソース特定情報およびミューティング間隔情報を取得する構成としたが、この構成に限定されるものではない。ミューティングリソース特定情報およびミューティング間隔情報は、取得部以外の機能ブロック、例えば、測定部により取得される構成としてもよい。
【０１１５】
また、第１の通信制御において、図１０に示すように固有送信間隔を示すミューティング情報を通知してもよい。また、第１の通信制御において、図１１に示すように、隣接セルのポート数およびミューティングリソースのインデックスによりミューティングリソースを通知してもよい。また、第２の通信制御において、図８および図９に示すように、ビットマップ情報およびパターン情報によりミューティングリソースを通知してもよい。
【０１１６】
本発明は上記実施の形態に限定されず、様々変更して実施することが可能である。例えば、本発明の範囲を逸脱しない限りにおいて、上記説明におけるミューティングリソースの設定位置、処理部の数、処理手順、ミューティングリソースの数については適宜変更して実施することが可能である。その他、本発明の範囲を逸脱しないで適宜変更して実施することが可能である。
【符号の説明】
【０１１７】
１  無線通信システム
１０  移動端末装置
２０  基地局装置
１０１  送受信アンテナ
１０２  アンプ部
１０３  送受信部（受信部）
１０４  ベースバンド信号処理部
１０５  アプリケーション部
１１１  取得部
１１２  測定部
１１３  ユーザデータ復調部（復調部）
２０１  送受信アンテナ
２０２  アンプ部
２０３  送受信部（通知部）
２０４  ベースバンド信号処理部
２０５  呼処理部
２０６  伝送路インターフェース
２１１  ＣＳＩ-ＲＳ配置部
２１２  ＣＳＩ-ＲＳインデックス生成部
２１３  ミューティングリソース設定部
２１４  ミューティングリソース特定情報生成部
２１５  ＣＳＩ-ＲＳパラメータ生成部
２１６  送信間隔情報生成部
２１７  報知信号生成部
【図１】
2012138956.tif 000003
【図２】
2012138956.tif 000004
【図３】
2012138956.tif 000005
【図４】
2012138956.tif 000006
【図５】
2012138956.tif 000007
【図６】
2012138956.tif 000008
【図７】
2012138956.tif 000009
【図８】
2012138956.tif 000010
【図９】
2012138956.tif 000011
【図１０】
2012138956.tif 000012
【図１１】
2012138956.tif 000013
【図１２】
2012138956.tif 000014
【図１３】
2012138956.tif 000015
【図１４】
2012138956.tif 000016
【図１５】
2012138956.tif 000017
【図１６】
2012138956.tif 000018
【図１７】
2012138956.tif 000019
【図１８】
2012138956.tif 000020
【手続補正書】
【提出日】平成24年5月22日(2012.5.22)
【手続補正１】
【補正対象書類名】特許請求の範囲
【補正対象項目名】全文
【補正方法】変更
【補正の内容】
【特許請求の範囲】
【請求項１】
ＣｏＭＰ（Coordinated  Multiple  Point）による送受信を行う複数の送信地点を備えた移動通信システムであって、
前記複数の送信地点では、下りリンクチャネル推定のための参照信号であるＣＳＩ−ＲＳ（Channel  State  Information−Reference  Signal）の送信用リソース及びミューティングリソースが設定されており、特定のタイミングにおいて、前記ＣＳＩ−ＲＳの送信用リソースでないリソースにミューティングが設定された送信地点と、前記特定のタイミングにおいて、前記ＣＳＩ−ＲＳの送信用リソースにミューティングが設定されない送信地点と、を含むことを特徴とする移動通信システム。
【請求項２】
前記複数の送信地点においては、固有の送信サブフレーム周期が設定されていることを特徴とする請求項１記載の移動通信システム。
【請求項３】
前記複数の送信地点は、前記ミューティングリソースの位置、前記ＣＳＩ−ＲＳを特定する少なくとも送信サブフレーム周期、サブフレームオフセット、及び送信電力を含むパラメータを移動端末装置に通知することを特徴とする請求項１又は請求項２記載の移動通信システム。
【請求項４】
前記複数の送信地点は、前記ミューティングリソースの位置を対応させたビットマップ情報を前記移動端末装置に通知することを特徴とする請求項３記載の移動通信システム。
【請求項５】
前記複数の送信地点は、前記ミューティングリソースの位置を示すインデックスを前記移動端末装置に通知することを特徴とする請求項３記載の移動通信システム。
【請求項６】
ＣｏＭＰ（Coordinated  Multiple  Point）による送受信を行う移動通信システムの基地局装置であって、
下りリンクチャネル推定のための参照信号であるＣＳＩ−ＲＳ（Channel  State  Information−Reference  Signal）の送信用リソース及びミューティングリソースを設定する設定部を有し、前記設定部は、特定のタイミングにおいて、前記ＣＳＩ−ＲＳの送信用リソースでないリソースにミューティングを設定することを特徴とする基地局装置。
【請求項７】
ＣｏＭＰ（Coordinated  Multiple  Point）による送受信を行う移動通信システムの基地局装置であって、
下りリンクチャネル推定のための参照信号であるＣＳＩ−ＲＳ（Channel  State  Information−Reference  Signal）の送信用リソース及びミューティングリソースを設定する設定部を有し、前記設定部は、特定のタイミングにおいて、前記ＣＳＩ−ＲＳの送信用リソースにミューティングを設定しないことを特徴とする基地局装置。
【請求項８】
前記設定部は、固有の送信サブフレーム周期を設定することを特徴とする請求項６又は請求項７記載の基地局装置。
【請求項９】
前記ミューティングリソースの位置、前記ＣＳＩ−ＲＳを特定する少なくとも送信サブフレーム周期、サブフレームオフセット、及び送信電力を含むパラメータを移動端末装置に通知することを特徴とする請求項６から請求項８のいずれかに記載の基地局装置。
【請求項１０】
前記ミューティングリソースの位置を対応させたビットマップ情報を前記移動端末装置に通知することを特徴とする請求項９記載の基地局装置。
【請求項１１】
前記ミューティングリソースの位置を示すインデックスを前記移動端末装置に通知することを特徴とする請求項９記載の基地局装置。
【手続補正３】
【補正対象書類名】明細書
【補正対象項目名】０００１
【補正方法】変更
【補正の内容】
【０００１】
本発明は、次世代の移動通信システム及び基地局装置に関する。
【手続補正４】
【補正対象書類名】明細書
【補正対象項目名】０００８
【補正方法】変更
【補正の内容】
【０００８】
本発明はかかる点に鑑みてなされたものであり、チャネル品質の推定精度を向上させることができる移動通信システム及び基地局装置を提供することを目的とする。
【手続補正５】
【補正対象書類名】明細書
【補正対象項目名】０００９
【補正方法】変更
【補正の内容】
【０００９】
本発明の移動通信システムは、ＣｏＭＰ（Coordinated  Multiple  Point）による送受信を行う複数の送信地点を備え、前記複数の送信地点では、下りリンクチャネル推定のための参照信号であるＣＳＩ−ＲＳ（Channel  State  Information−Reference  Signal）の送信用リソース及びミューティングリソースが設定されており、特定のタイミングにおいて、前記ＣＳＩ−ＲＳの送信用リソースでないリソースにミューティングが設定された送信地点と、前記特定のタイミングにおいて、前記ＣＳＩ−ＲＳの送信用リソースにミューティングが設定されない送信地点と、を含むことを特徴とする。
【手続補正６】
【補正対象書類名】明細書
【補正対象項目名】００１０
【補正方法】変更
【補正の内容】
【００１０】
本発明によれば、移動端末装置が、基地局装置からのミューティング間隔情報の通知により、隣接するセル間での干渉が抑制されたサブフレームでチャネル推定できる。よって、複数のエリアにおけるＣＳＩ-ＲＳ送信用のサブフレームの送信周期が異なっていても、移動端末装置におけるチャネル品質の推定精度を一定に保ったチャネル推定を行うことができる。このように、チャネル品質の推定精度を向上させることができる移動通信システム及び基地局装置を提供できる。